(57)【要約】      （修正有）【課題】換気、排煙、採光等の諸機能を十分保持しつつ、防音効果・遮音効果の低下がない防音ルーバを提供する。【解決手段】縦断面外側がヘ字状の板体からなる羽根板部材の２個を各縦断面外側が相対する外部位置に間隔を置いて配置してなる防音ルーバの複数個を横積みに配置してなる横積み防音ルーバであって、前記２個の各羽根板部材を縦断面外側ヘ字状に構成するとともに、前記２個の各羽根板部材の各腹部に吸音材を配置してそれぞれ当該吸音材を多孔性保持板部材により保持し、且つ、前記防音ルーバの複数個を枠内に上下方向に間隔を置いて配置し固定してなる。【選択図】図４
0003164660.tif 000002
【実用新案登録請求の範囲】
【請求項１】
縦断面外側がヘ字状の板体からなる羽根板部材の２個を各縦断面外側が相対する外部位置に間隔を置いて配置してなる防音ルーバの複数個を横積みに配置してなる横積み防音ルーバであって、前記防音ルーバが、
（ａ）前記２個の各羽根板部材を縦断面外側ヘ字状に構成するとともに、
（ｂ）前記２個の各羽根板部材の各腹部に吸音材を配置してそれぞれ当該吸音材を多孔性保持板部材により保持し、且つ、
（ｃ）前記防音ルーバの複数個を枠内に上下方向に間隔を置いて配置し固定してなる、ことを特徴とする横積み防音ルーバ。
【請求項２】
縦断面外側がヘ字状の板体からなる羽根板部材の２個を各縦断面外側が相対する外部位置に間隔を置いて配置してなる防音ルーバの複数個を縦積みに配置してなる縦積み防音ルーバであって、前記防音ルーバが、
（ａ）前記２個の各羽根板部材を縦断面外側ヘ字状に構成するとともに、
（ｂ）その各腹部に吸音材を配置してそれぞれ当該吸音材を多孔性保持板部材により保持し、且つ、
（ｃ）前記防音ルーバの複数個を枠内に横方向に間隔を置いて配置し固定してなる、
ことを特徴とする縦積み防音ルーバ。
【請求項３】
縦断面外側がヘ字状の板体からなる羽根板部材の２個を間隔保持部材を介して各縦断面外側が相対する外部位置に間隔を置いて配置してなる防音ルーバの複数個を横積みに配置してなる横積み防音ルーバであって、前記防音ルーバが、
（ａ）前記間隔保持部材が断面４角形状乃至断面矩形状の間隔保持部材であり、
（ｂ）前記２個の各羽根板部材を縦断面外側ヘ字状に構成するとともに、
（ｃ）その各腹部に吸音材を配置してそれぞれ当該吸音材を多孔性保持板部材により保持し、且つ、
（ｄ）前記防音ルーバの複数個を枠内に上下方向に間隔を置いて配置し固定してなる、ことを特徴とする横積み防音ルーバ。
【請求項４】
縦断面外側がヘ字状の板体からなる羽根板部材の２個を間隔保持部材を介して各縦断面外側が相対する外部位置に間隔を置いて配置してなる防音ルーバの複数個を縦積みに配置してなる縦積み防音ルーバであって、前記防音ルーバが、
（ａ）前記間隔保持部材が断面４角形状乃至断面矩形状の間隔保持部材であり、
（ｂ）前記２個の各羽根板部材を縦断面外側ヘ字状に構成するとともに、
（ｃ）その各腹部に吸音材を配置してそれぞれ当該吸音材を多孔性保持板部材により保持し、且つ、
（ｄ）前記防音ルーバの複数個を枠内に横方向に間隔を置いて配置し固定してなる、
ことを特徴とする縦積み防音ルーバ。
【請求項５】
縦断面外側がヘ字状の板体からなる羽根板部材の２個を間隔保持部材を介して各縦断面外側が相対する外部位置に間隔を置いて配置してなる防音ルーバの複数個を横積みに配置してなる横積み防音ルーバであって、前記防音ルーバが、
（ａ）前記間隔保持部材が断面３角形状の間隔保持部材であり、
（ｂ）前記各羽根板部材を縦方向断面ヘ字状に構成するとともに、
（ｃ）その腹部に吸音材を配置してそれぞれ当該吸音材を多孔性保持板部材により保持し、且つ、
（ｄ）前記防音ルーバの複数個を枠内に上下方向に間隔を置いて配置し固定してなる、ことを特徴とする横積み防音ルーバ。
【請求項６】
縦断面外側がヘ字状の板体からなる羽根板部材の２個を間隔保持部材を介して各縦断面外側が相対する外部位置に間隔を置いて配置してなる防音ルーバの複数個を縦積みに配置してなる縦積み防音ルーバであって、前記防音ルーバが、
（ａ）前記間隔保持部材が断面３角形状の間隔保持部材であり、
（ｂ）前記各羽根板部材を縦方向断面ヘ字状に構成するとともに、
（ｃ）その腹部に吸音材を配置してそれぞれ当該吸音材を多孔性保持板部材により保持し、且つ、
（ｄ）前記防音ルーバの複数個を枠内に横方向に間隔を置いて配置し固定してなる、
ことを特徴とする縦積み防音ルーバ。
【請求項７】
請求項１〜６のいずれか１項に記載の防音ルーバにおいて、前記羽根材の内空に吸音材を嵌め込んでなり、前記羽根材のうち、吸音材を嵌め込む内空領域の音源側と相対する側に空気層を設けてなることを特徴とする防音ルーバ。
【考案の詳細な説明】
【技術分野】
【０００１】
本考案は、ビル、各種工場、発電所、商業施設の空調設備、体育館、屋内プール、倉庫、家屋などの外壁や外壁に設置する換気口などに設置される防音ルーバに関し、特に空気が外から内に流通可能に構成された高性能の防音ルーバに関するものである。
【背景技術】
【０００２】
防音防水ルーバは建物の通風口などに設置される。このため、騒音の遮断作用を有するものであれば防水とともに遮音、防音も行わせることができる。図１１はその防音防水ルーバの態様例である（特開昭６１ー０９８８９０号公報）。図１１のとおり、断面が山型の羽根板部材２１に水返し突片２２、２３を突設したものを互いに平行位置に並べて配置し、山型の腹部内面にガラスウール等からなる吸音材２４が配置されている。
【０００３】
また、屋外設置型で雨水の侵入を防止できるようにした縦型消音ルーバとして特開平４−１９４１８６号公報や特開平１１−１８２１５２号公報などが知られている。
【先行技術文献】
【特許文献】
【０００４】
【特許文献１】特開昭６１ー０９８８９０号公報
【特許文献２】特開平０４−１９４１８６号公報
【特許文献３】特開平１１−１８２１５２号公報
【０００５】
そのうち、特開平０４−１９４１８６号公報の縦型防音ルーバは、上下位置に一対の水平な横桟を有する外周枠と、両横桟間に縦向きに固定した多数の羽根板を備え、羽根板間を通風間隙としてなる縦型防音ルーバである。そして、羽根板は幅を違えた短傾斜部と長傾斜部とを左右に有する前面側の山型部と、長傾斜部の後端縁にガラリ厚さ方向と直角な方向に連続配置に設けた後面板部と、短傾斜部及び後面板部の各開放側縁前面に設けた大水返し突片とから構成されている。互いに隣り合う各羽根板間において、一方の短傾斜部と他方の後面板部とを前後方向に重なり合うように配置させることにより、その相互間に前後に通じるジクザク状の通風間隙を多数形成し、かつ、山型部の背面と後面平板部の前面とにそれぞれガラスウール等の吸音材を固設している。
【０００６】
また、特開平１１−１８２１５２号公報の竪型防音防水ルーバは、帯状の板体からなる羽根板部材の複数個を縦方向に配置して構成される。図１２はその態様例である。図１２のとおり、該帯状の板体からなる羽根板部材を幅方向断面つまり屋内側から屋外側へ向けた幅方向断面をく字状に構成し、その腹部に収納袋に詰めるか又はシートでラップした吸音材４７を配置してパンチングメタル等の多孔性保持板部材４８、４９により保持し、且つ該羽根板部材の幅方向の屈曲部３５の背部及び屋内側端部に屋外側に向けた突片部３７を備えて構成される。
【０００７】
これにより、特開平１１−１８２１５２号公報の竪型防音防水ルーバでは、竪型防水ルーバ本来の防水、換気、排煙、採光等の諸機能を十分保持しつつ、降雨時においても防音効果、遮音効果の低下がないようにしている。
【考案の開示】
【考案が解決しようとする課題】
【０００８】
本考案は、以上のような従来の防音ルーバをさらに改良、改善し、換気、排煙、採光等の諸機能を十分保持しつつ、降雨時においても防音効果、遮音効果の低下がない防音ルーバを提供することを目的とするものである。
【課題を解決するための手段】
【０００９】
本考案は、（１）縦断面外側がヘ字状の板体からなる羽根板部材の２個を各縦断面外側が相対する外部位置に間隔を置いて配置してなる防音ルーバの複数個を横積みに配置してなる横積み防音ルーバであって、前記防音ルーバが、
（ａ）前記２個の各羽根板部材を縦断面外側ヘ字状に構成するとともに、
（ｂ）前記２個の各羽根板部材の各腹部に吸音材を配置してそれぞれ当該吸音材を多孔性保持板部材により保持し、且つ、
（ｃ）前記防音ルーバの複数個を枠内に上下方向に間隔を置いて配置し固定してなる、ことを特徴とする横積み防音ルーバである。
【００１０】
本考案は、（２）縦断面外側がヘ字状の板体からなる羽根板部材の２個を各縦断面外側が相対する外部位置に間隔を置いて配置してなる防音ルーバの複数個を縦積みに配置してなる縦積み防音ルーバであって、前記防音ルーバが、
（ａ）前記２個の各羽根板部材を縦断面外側ヘ字状に構成するとともに、
（ｂ）その各腹部に吸音材を配置してそれぞれ当該吸音材を多孔性保持板部材により保持し、且つ、
（ｃ）前記防音ルーバの複数個を枠内に横方向に間隔を置いて配置し固定してなる、
ことを特徴とする縦積み防音ルーバである。
【００１１】
本考案は、（３）縦断面外側がヘ字状の板体からなる羽根板部材の２個を間隔保持部材を介して各縦断面外側が相対する外部位置に間隔を置いて配置してなる防音ルーバの複数個を横積みに配置してなる横積み防音ルーバであって、前記防音ルーバが、
（ａ）前記間隔保持部材が断面４角形状乃至断面矩形状の間隔保持部材であり、
（ｂ）前記２個の各羽根板部材を縦断面外側ヘ字状に構成するとともに、
（ｃ）その各腹部に吸音材を配置してそれぞれ当該吸音材を多孔性保持板部材により保持し、且つ、
（ｄ）前記防音ルーバの複数個を枠内に上下方向に間隔を置いて配置し固定してなる、ことを特徴とする横積み防音ルーバである。
【００１２】
本考案は、（４）縦断面外側がヘ字状の板体からなる羽根板部材の２個を間隔保持部材を介して各縦断面外側が相対する外部位置に間隔を置いて配置してなる防音ルーバの複数個を縦積みに配置してなる縦積み防音ルーバであって、前記防音ルーバが
（ａ）前記間隔保持部材が断面４角形状乃至断面矩形状の間隔保持部材であり、
（ｂ）前記２個の各羽根板部材を縦断面外側ヘ字状に構成するとともに、
（ｃ）その各腹部に吸音材を配置してそれぞれ当該吸音材を多孔性保持板部材により保持し、且つ、
（ｄ）前記防音ルーバの複数個を枠内に横方向に間隔を置いて配置し固定してなる、
ことを特徴とする縦積み防音ルーバである。
【００１３】
本考案は、（５）縦断面外側がヘ字状の板体からなる羽根板部材の２個を間隔保持部材を介して各縦断面外側が相対する外部位置に間隔を置いて配置してなる防音ルーバの複数個を横積みに配置してなる横積み防音ルーバであって、前記防音ルーバが
（ａ）前記間隔保持部材が断面３角形状の間隔保持部材であり、
（ｂ）前記各羽根板部材を縦方向断面ヘ字状に構成するとともに、
（ｃ）その腹部に吸音材を配置してそれぞれ当該吸音材を多孔性保持板部材により保持し、且つ、
（ｄ）前記防音ルーバの複数個を枠内に上下方向に間隔を置いて配置し固定してなる、ことを特徴とする横積み防音ルーバである。
【００１４】
本考案は、（６）縦断面外側がヘ字状の板体からなる羽根板部材の２個を間隔保持部材を介して各縦断面外側が相対する外部位置に間隔を置いて配置してなる防音ルーバの複数個を縦積みに配置してなる縦積み防音ルーバであって、前記防音ルーバが
（ａ）前記間隔保持部材が断面３角形状の間隔保持部材であり、
（ｂ）前記各羽根板部材を縦方向断面ヘ字状に構成するとともに、
（ｃ）その腹部に吸音材を配置してそれぞれ当該吸音材を多孔性保持板部材により保持し、且つ、
（ｄ）前記防音ルーバの複数個を枠内に横方向に間隔を置いて配置し固定してなる、
ことを特徴とする縦積み防音ルーバである。
【考案の効果】
【００１５】
本考案の防音ルーバによれば、防水、換気、排煙、採光等の諸機能を保持しつつ、高い防音効果、遮音効果が得られる。
【考案を実施するための形態】
【００１６】
〈本考案の前提となる防音ルーバの構造〉
まず、本考案の前提となる防音ルーバの構造について説明する。図１〜３はその構造を説明する図である。
【００１７】
防音ルーバの構造は、その基本部材として外側が縦断面ヘ字状の板体１、２からなる羽根板部材を用いる。外側が縦断面ヘ字状の板体１、２は図１（ｂ）に示すように板体１と板体２との境目に折曲げ部Ｋ１を有する。そのうち、板体１の部分は上方へ延び、その上方で内方へ湾曲し、その端部には符号４で示すように下方へ折曲げられた下垂板を備える。一方、板体２は下方へ延び、その下端部で内側に湾曲折り返し部３を備えている。板体１と板体２とは別々の板体ではなく１枚の板でなり、１枚の板を折曲げた形で構成されているが、例えば押し出し成形により一体に構成される。
【００１８】
板体１、２の境目の折曲げ部Ｋ１から上方へ延びた途中に内方へ向けて延びた板状部材５を設ける。板状部材５にはその他端部に板体６を設ける。図１に示す態様では、板状部材５は途中、折曲げ部Ｋ２を有するが、折曲げ部Ｋ２は必須ではなく、断面直線状でもよい。また、板体６は、下垂板４の下部（直下）の位置に、下垂板４の下端に対して間隔を置いて設け、その下端には斜め下方へ折曲げられた下垂板７を備える。Ｋ３はその折曲げ部である。板体６と下垂板７とは別々の板体ではなく１枚の板でなり、１枚の板を折曲げた形で構成されているが、例えば押し出し成形により一体に構成される。
【００１９】
図２（ａ）は、外側が縦断面ヘ字状の板体１、２からなる羽根板部材を取り出して示した図である。図２（ａ）に示す羽根板部材の腹部に吸音材１０を配置する。吸音材１０は収納袋に詰めるか又はシートでラップするなどにより配置する。そして、そのように配置した吸音材１０をパンチングメタル等の多孔性保持板部材（多孔板）１１により保持する。符号１２は多孔性保持板部材１１を下垂板７に固定するためのボルトである。多孔性保持板部材１１の下端部は内側に湾曲した折り返し部３により係止される。吸音材としてはガラスウールや合成繊維などからなる吸音材が用いられる。収納袋やシートの材質としてはプラスチック等が用いられ、プラスチック材料には特に限定はなく、フッ素樹脂系の材料なども有効である。
【００２０】
こうして構成した防音ルーバは、図１（ａ）に示すように、鉄骨材等の固定材（枠体とも言う）２０に直接固定する。図１（ａ）にはボルト−ナットで固定した場合を示しているが、防音ルーバの固定の態様は、ビス孔８を介して固定材に対して固定するなど適宜の手段、方法で行うことができる。ビス孔８を介する態様では、図１（ａ）で言えば、その表面側（紙面手前側）、裏面側（紙面向う側）に鉄骨材等の固定材を配置し、ビスを固定材側から固定材を介してビス孔８にねじ込むことで固定することができる。図１（ａ）には２個の防音ルーバを上下に間隔を置いて配置した態様を示しているが、その数は適宜選定できる。
【００２１】
また、それらの構成に加えて、図３に示すように、羽根板部材のうち、防音材を嵌め込む内空領域の音源側と相対する側に空気層を設けることができる。図３中、符号９で示すように、板体１の内側と防音材との間に所定幅の間隔を保つ間隔保持部材を設ける。この間隔保持部材による所定幅の間隔、すなわち板体１の内側面と防音材との間に空気層を構成し、当該空気層により防音効果をさらに高めることができる。
【００２２】
〈本考案（１）の態様〉
本考案（１）は、縦断面外側がヘ字状の板体からなる羽根板部材の２個を各縦断面外側が相対する外部位置に間隔を置いて配置してなる防音ルーバの複数個を横積みに配置してなる横積み防音ルーバである。そして、前記防音ルーバが、
（ａ）前記２個の各羽根板部材を縦断面外側ヘ字状に構成するとともに、
（ｂ）前記２個の各羽根板部材の各腹部に吸音材を配置してそれぞれ当該吸音材を多孔性保持板部材により保持し、且つ、
（ｃ）前記防音ルーバの複数個を枠内に上下方向に間隔を置いて配置し固定してなる、ことを特徴とする。
【００２３】
図４〜５は本考案（１）の防音ルーバの態様を説明する図である。図４（ａ）は防音ルーバを設置した態様を示す図、図４（ｂ）は図４（ａ）を上から見た図である。図４（ｃ）は、図４（ａ）に示す３個の防音ルーバのうち１個を取り出し、斜視図として示した図である。符号３０は防音ルーバを取付ける枠体（躯体あるいは、支持体とも言う）を示し、符号３１は外部に向けて下降傾斜した底板である。
【００２４】
ここで、図４（ａ）〜（ｂ）、図５は、断面図であるため、各防音ルーバを構成する羽根板部材、その腹部に配置された防音材の断面が見えていることになる。そして、その表面側（紙面手前側）と裏面側（紙面向う側）には板体、多孔板あるいはメッシュなどが配置されており、ビス孔８が位置する箇所に対応して、ビス孔８に対応する孔を持つ鉄骨材等の固定材（枠体、躯体、支持体）が配置されるが、それらの図示は省略している。この点、本考案（２）〜（６）の態様に係る図６〜１０についても同様である。
【００２５】
本考案（１）では防音ルーバを躯体内に上下配置で等間隔に３個配置した場合を示しているが、その数は２個、４個、５個、・・・というように適宜設定することができる。この点、他の本考案〔すなわち、本考案（１）以外の本考案〕についても同様である。本明細書中、防音ルーバを横積みするとは、防音ルーバを図４（ａ）〜（ｂ）のように配置することを意味する。図５は、２個の各羽根板部材から本考案（１）で設置する防音ルーバに至るまでの過程を示した図である。
【００２６】
各防音ルーバは、そのビス孔８（図１〜３、５参照）を介して枠体（躯体、支持体とも言う）に対してビス止めして固定する。図４（ａ）を例に説明すると、左右ペアの各羽根板（各羽根板部材）にはそれぞれ４個のビス孔８、左右合計８個のビス孔８が設けられている。ビス孔の数は、その固定役割を達成できる範囲で適宜選定することができる。この点、本考案（２）〜（６）の態様についても同様である。
【００２７】
図４（ａ）で示す断面図で言えば、紙面に直角で手前側（表側）に配置した枠体と紙面に直角で向こう側（裏側）に配置した枠体側から、それぞれ枠体を介してビスをねじ込むことで固定することができる。すなわち、羽根板部材のビス孔８に向けてビス（vis）またはネジ（螺子：screw）をねじ込むことで枠体に対して固定することができる。これらの点は、他の本考案〔すなわち、本考案（１）以外の本考案〕についても同様である。
【００２８】
防音材としては、ガラスウール、ガラスクロス、ロックウール、プラスチック製繊維、アルミニウム、アルミニウム合金あるいはステンレス鋼などの金属繊維（金属細線）などが使用される。本考案において使用する防音材としはそれら例示の防音材に限定されない。
【００２９】
〈本考案（２）の態様〉
本考案（２）は、縦断面外側がヘ字状の板体からなる羽根板部材の２個を各縦断面外側が相対する外部位置に間隔を置いて配置してなる防音ルーバの複数個を縦積みに配置してなる縦積み防音ルーバである。そして、前記防音ルーバが、
（ａ）前記２個の各羽根板部材を縦断面外側ヘ字状に構成するとともに、
（ｂ）その各腹部に吸音材を配置してそれぞれ当該吸音材を多孔性保持板部材により保持し、且つ、
（ｃ）前記防音ルーバの複数個を枠内に横方向に間隔を置いて配置し固定してなる、
ことを特徴とする。
【００３０】
図６は本考案（２）の防音ルーバの態様を説明する図である。図６（ａ）は防音ルーバを設置した態様を示す図、図６（ｂ）は図６（ａ）中Ａ−Ａ線断面図である。符号３０は防音ルーバを取付ける枠体（躯体、支持体とも言う）を示している。
【００３１】
本考案（２）では防音ルーバを躯体内に左右配置で等間隔に４個配置した場合を示している。本明細書中、防音ルーバを縦積みするとは防音ルーバを図６（ｂ）のように配置することを意味する。図６（ｂ）は横断面図であるので、各防音ルーバは紙面表面側から紙面裏面側に延びており、紙面表面側の端が各防音ルーバの上端となり、紙面裏面側の端が各防音ルーバの下端となる。２個の各羽根板部材から本考案（２）で設置する防音ルーバに至るまでの過程は図５に示すとおりである。
【００３２】
各防音ルーバは、そのビス孔８（図１〜３、５参照）を介して枠体（躯体とも言う）３０に対してビス止めして固定する。図６（ｂ）を例に説明すると、上下ペアの各羽根板にはそれぞれ４個のビス孔８、左右合計８個のビス孔８が設けられている。図６（ｂ）で示す断面図で言えば、紙面に直角で手前側（表側）の枠体と紙面に直角で向こう側（裏側）の枠体側からそれぞれ枠体を介してビスをねじ込むことで固定することができる。この点、他の本考案〔すなわち、本考案（２）以外の本考案〕についても同様である。
【００３３】
〈本考案（３）の態様〉
本考案（３）は、縦断面外側がヘ字状の板体からなる羽根板部材の２個を間隔保持部材を介して各縦断面外側が相対する外部位置に間隔を置いて配置してなる防音ルーバの複数個を横積みに配置してなる横積み防音ルーバである。そして、前記防音ルーバが、
（ａ）前記間隔保持部材が断面４角形状乃至断面矩形状の間隔保持部材であり、
（ｂ）前記２個の各羽根板部材を縦断面外側ヘ字状に構成するとともに、
（ｃ）その各腹部に吸音材を配置してそれぞれ当該吸音材を多孔性保持板部材により保持し、且つ、
（ｄ）前記防音ルーバの複数個を枠内に上下方向に間隔を置いて配置し固定してなる、ことを特徴とする。
【００３４】
図７は本考案（３）の防音ルーバの態様を説明する図である。図７（ａ）は防音ルーバを設置した態様を示す図、図７（ｂ）は図７（ａ）を上から見た図である。図７（ｃ）は、本考案（３）の防音ルーバに係る間隔保持部材、すなわちアタッチメント（幅Ｘをもつ取付け具）Ｓを取り出して示した図である。図７（ｃ）に示すように、アタッチメントＳの幅Ｘを増減させることにより、防音ルーバ全体としての幅を調整することができる。
【００３５】
図７（ａ）に示すように幅をもつアタッチメントＳを配置することにより、防音ルーバの幅を広げ、吸音性能、防音性能をより高めることができる。また、図７（ａ）に示すように幅をもつアタッチメントＳ自体に防音材を配置することにより、防音ルーバの吸音性能、防音性能をより高めることができる。アタッチメントＳとこれを挟んだ左右両側の防音ルーバとの結合ははめ込み形式で一体化することができる。
【００３６】
〈本考案（４）の態様〉
本考案（４）は、縦断面外側がヘ字状の板体からなる羽根板部材の２個を間隔保持部材を介して各縦断面外側が相対する外部位置に間隔を置いて配置してなる防音ルーバの複数個を縦積みに配置してなる縦積み防音ルーバである。そして、前記防音ルーバが、
（ａ）前記間隔保持部材が断面４角形状乃至断面矩形状の間隔保持部材であり、
（ｂ）前記２個の各羽根板部材を縦断面外側ヘ字状に構成するとともに、
（ｃ）その各腹部に吸音材を配置してそれぞれ当該吸音材を多孔性保持板部材により保持し、且つ、
（ｄ）前記防音ルーバの複数個を枠内に横方向に間隔を置いて配置し固定してなる、
ことを特徴とする。
【００３７】
図８は本考案（４）の防音ルーバの態様を説明する図である。本考案（４）の防音ルーバは、前述本考案（３）の防音ルーバである図７の防音ルーバの設置態様を縦積みにしたものに相当している。図８（ａ）は防音ルーバを設置した態様を示す図、図８（ｂ）は図８（ａ）中Ａ−Ａ線断面図である。符号３０は防音ルーバを取付ける枠体（躯体とも言う）を示している。
【００３８】
図８（ｃ）は、本考案（４）の防音ルーバに係る間隔保持部材、すなわちアタッチメント（幅Ｘをもつ取付け具）Ｓを取り出して示した図である。図８（ｃ）に示すように、アタッチメントＳの幅Ｘを増減させることにより、防音ルーバ全体としての幅を調整することができる。
【００３９】
図８（ｂ）では防音ルーバを躯体内に左右配置で等間隔に３個配置した場合を示しているが、防音ルーバの数は必要数配置することができる。本考案（４）において、防音ルーバを縦積みするとは防音ルーバを図８（ｂ）のように配置することを意味する。各防音ルーバは、そのビス孔８（図１〜３、５参照）を介して枠体（躯体とも言う）３０に対してビス止めして固定する。
【００４０】
〈本考案（５）の態様〉
本考案（５）は、縦断面外側がヘ字状の板体からなる羽根板部材の２個を間隔保持部材を介して各縦断面外側が相対する外部位置に間隔を置いて配置してなる防音ルーバの複数個を横積みに配置してなる横積み防音ルーバである。そして、前記防音ルーバが、
（ａ）前記間隔保持部材が断面３角形状の間隔保持部材であり、
（ｂ）前記各羽根板部材を縦方向断面ヘ字状に構成するとともに、
（ｃ）その腹部に吸音材を配置してそれぞれ当該吸音材を多孔性保持板部材により保持し、且つ、
（ｄ）前記防音ルーバの複数個を枠内に上下方向に間隔を置いて配置し固定してなる、ことを特徴とする。
【００４１】
図９は本考案（５）の防音ルーバの態様を説明する図である。図９（ａ）は防音ルーバを設置した態様を示す図、図９（ｂ）は図９（ａ）を上から見た図である。図９（ｃ）は、本考案（５）の防音ルーバに係る間隔保持部材、すなわちアタッチメント（角度θをもつ取付け具）Ｔを取り出して示した図である。図９（ｃ）に示すように、アタッチメントＴの角度θを増減させることにより、アタッチメントＴの両サイドの防音ルーバの傾斜角度を調整することができる。
【００４２】
図９（ａ）に示すように角度θをもつアタッチメントＴを配置することにより、対をなす防音ルーバ間の広がり角度を広げ（両サイドの防音ルーバ間の角度を広げ）、ひいて両防音ルーバ間の幅を末広がりに広げることができる。これにより、開口率をより大きくでき、また吸音性能、防音性能をより高めることができる。また、図９（ａ）に示すように角度θをもつアタッチメントＴ自体に防音材を配置することにより、防音ルーバの吸音性能、防音性能をより高めることができる。
【００４３】
アタッチメントＴとこれを挟んだ左右両側の防音ルーバとの結合は嵌め込み形式で一体化することができる。また、アタッチメントＴは、図９（ｃ）中、例えば符号Ｚ（矢印）で示す箇所にビス孔を設け、図９（ａ）で示す断面図で言えば、紙面に直角で手前側（表側）の枠体と紙面に直角で向こう側（裏側）の枠体側から、それぞれの枠体を介してビス孔にビスをねじ込むことで固定するなど、適宜の手段で固定することができる。この点は本考案（６）についても同様である。
【００４４】
〈本考案（６）の態様〉
本考案（６）は、縦断面外側がヘ字状の板体からなる羽根板部材の２個を間隔保持部材を介して各縦断面外側が相対する外部位置に間隔を置いて配置してなる防音ルーバの複数個を縦積みに配置してなる縦積み防音ルーバである。そして、前記防音ルーバが、
（ａ）前記間隔保持部材が断面３角形状の間隔保持部材であり、
（ｂ）前記各羽根板部材を縦方向断面ヘ字状に構成するとともに、
（ｃ）その腹部に吸音材を配置してそれぞれ当該吸音材を多孔性保持板部材により保持し、且つ、
（ｄ）前記防音ルーバの複数個を枠内に横方向に間隔を置いて配置し固定してなる、
ことを特徴とする。
【００４５】
図１０は本考案（６）の防音ルーバの態様を説明する図である。本考案（６）の防音ルーバは、前述本考案（５）の防音ルーバである図９の防音ルーバの設置態様を縦積みにしたもの（防音ルーバを縦置きに設置したもの）に相当している。図１０（ａ）は防音ルーバを設置した態様を示す図、図１０（ｂ）は図１０（ａ）中Ａ−Ａ線断面図である。符号３０は防音ルーバを取付ける枠体（躯体とも言う）を示している。
【００４６】
図１０（ｃ）は、本考案（６）の防音ルーバに係る間隔保持部材、すなわちアタッチメント（角度θをもつ取付け具）Ｔを取り出して示した図である。図１０（ｃ）に示すように、アタッチメントＴの角度θを増減させることにより、防音ルーバ全体としての幅を調整することができる。ここで上記“防音ルーバ全体としての幅”とは、アタッチメントＴの幅と当該アタッチメントＴを挟んだ両防音ルーバの幅とを合わせた幅を意味する。
【００４７】
図１０（ｂ）では防音ルーバを躯体内に左右縦置き配置で等間隔に３個配置した場合を示しているが、防音ルーバの数は必要数配置することができる。本考案（６）において、防音ルーバを縦積みするとは防音ルーバを図１０（ｂ）のように配置することを意味する。各防音ルーバは、そのビス孔８を介して枠体（躯体とも言う）３０に対してビス止めして固定する。枠体３０の側から羽根板部材のビス孔８に向けてビス（vis）またはネジ（螺子：screw）をねじ込むことで枠体３０に対して固定することができる。
【００４８】
図１０（ｃ）に示すように、アタッチメントＴの角度θを増減させることにより、アタッチメントＴの両サイドの防音ルーバの傾斜角度を調整することができる。図１０（ｂ）〜（ｃ）に示すように角度θをもつアタッチメントＴを配置することにより、アタッチメントＴの両サイドの防音ルーバの傾斜角度を広げ、ひいて両防音ルーバの幅を末広がりに広げることができ、吸音性能、防音性能をより高めることができる。
【００４９】
また、図１０（ａ）に示すように角度θをもつアタッチメントＴ自体に防音材を配置することにより、防音ルーバの吸音性能、防音性能をより高めることができる。アタッチメントＴとこれを挟んだ左右両側の防音ルーバとの結合は、いわゆる嵌め込み形式で一体化することができる。
【図面の簡単な説明】
【００５０】
【図１】図１は、本考案の前提となる防音ルーバの構造について説明する図である。
【図２】図２は、本考案の前提となる防音ルーバの構造について説明する図である。
【図３】図３は、本考案の前提となる防音ルーバの構造について説明する図である。
【図４】図４は、本考案（１）の防音ルーバの態様を説明する図である。
【図５】図５は、本考案（１）の防音ルーバの態様を説明する図である。
【図６】図６は、本考案（２）の防音ルーバの態様を説明する図である。
【図７】図７は、本考案（３）の防音ルーバの態様を説明する図である。
【図８】図８は、本考案（４）の防音ルーバの態様を説明する図である。
【図９】図９は、本考案（５）の防音ルーバの態様を説明する図である。
【図１０】図１０は、本考案（６）の防音ルーバの態様を説明する図である。
【図１１】図１１は、先行技術（特開昭６１−０９８８９０号公報）に記載の防音防水ルーバの態様例を説明する図である。
【図１２】図１２は、先行技術（特開平１１−１８２１５２号公報）に記載の防音防水ルーバの態様例を説明する図である。
【符号の説明】
【００５１】
１、２  縦断面ヘ字状の板体
Ｋ１  板体１と板体２との境目の折曲げ部
Ｋ２  板状部材５の折曲げ部
Ｋ３  板体６と下垂板７との折曲げ部
３  湾曲折り返し部
４  下方へ折曲げられた下垂板
５  折曲げ部Ｋ１から上方へ延びた途中に設け、内方へ向けて延びた板状部材
６  板状部材５の他端部（板体１と相対する側）に設けた板体
７  板体６の下端から斜め下方へ折曲げて設けた下垂板
８  ビス孔
９  間隔保持部材
Ｓ、Ｔ  アタッチメント
２０  固定材（鉄骨材等の固定材）
３０  枠体（躯体）
３１  外部に向けて下降傾斜した底板
【図１】
0003164660.tif 000003
【図２】
0003164660.tif 000004
【図３】
0003164660.tif 000005
【図４】
0003164660.tif 000006
【図５】
0003164660.tif 000007
【図６】
0003164660.tif 000008
【図７】
0003164660.tif 000009
【図８】
0003164660.tif 000010
【図９】
0003164660.tif 000011
【図１０】
0003164660.tif 000012
【図１１】
0003164660.tif 000013
【図１２】
0003164660.tif 000014